(57)【要約】【課題】  ２種類以上の規格の異なるＩ／Ｆを搭載する画像読取装置において、使用していないＩ／Ｆを有効活用することで、ユーザーが快適に使用できる画像読取装置を提供する。【解決手段】  少なくとも２種類以上の異なる規格の転送手段を有し、一方の転送手段にて画像読取装置の動作を制御する制御信号の受容を外部装置との間で行ない、他方の転送手段にて画像データを外部装置に転送する手段を備える。【選択図】  図１
2006109220.tif 000002
【特許請求の範囲】
【請求項１】
原稿を読みとる為の光源と、電気的な画像信号に変換するイメージセンサと、該画像信号をデジタル信号に変換するＡ／Ｄ変換器と、前記デジタル変換された画像データを格納する手段と、前記デジタル変換された画像データを外部装置に転送する手段として少なくとも２種類以上の異なる規格の転送手段を有する画像読取装置において、
前記転送手段の一方によって前記画像読取装置の動作を制御するための制御信号の受容を前記外部装置との間で行う転送手段と、前記転送手段の他方によって前記画像データを外部装置に転送する転送手段を備えることを特徴とする画像読取装置。
【請求項２】
請求項１に記載の画像読取装置において、前記転送手段としてはＩＥＥＥ１２８４準拠の転送手段と、Ｕｎｉｖｅｒｓａｌ  Ｓｅｒｉａｌ  Ｂｕｓ（以下ＵＳＢ）の転送手段とを備えることを特徴とする画像読取装置。
【請求項３】
請求項１に記載の画像読取装置において、前記転送手段としてはＩＥＥＥ１３９４準拠の転送手段と、ＵＳＢの転送手段とを備えることを特徴とする画像読取装置。
【請求項４】
請求項１に記載の画像読取装置において、前記転送手段としてはＩＥＥＥ１２８４準拠の転送手段と、ＩＥＥＥ１３９４準拠の転送手段とを備えることを特徴とする画像読取装置。
【請求項５】
請求項１に記載の画像読取装置において、前記転送手段としてはＩＥＥＥ１２８４準拠の転送手段と、Ｓｍａｌｌ  Ｃｏｍｐｕｔｅｒ  Ｓｙｓｔｅｍ  Ｉｎｔｅｒｆａｃｅ（ＡＮＳＩ規格番号：Ｘ３．１３１−１９８６、以下ＳＣＳＩ）の転送手段とを備えることを特徴とする画像読取装置。
【請求項６】
請求項１に記載の画像読取装置において、前記転送手段としては、ＳＣＳＩの転送手段と、ＵＳＢの転送手段とを備えることを特徴とする画像読取装置。
【請求項７】
請求項１に記載の画像読取装置において、前記転送手段としてはＳＣＳＩの転送手段と、ＩＥＥＥ１３９４の転送手段とを備えることを特徴とする画像読取装置。
【請求項８】
請求項１に記載の画像読取装置において、前記転送手段としてはＩＥＥＥ１２８４準拠の転送手段と、ＩＥＥＥ１３９４準拠の転送手段と、ＵＳＢの転送手段とを備えることを特徴とする画像読取装置。
【請求項９】
請求項１に記載の画像読取装置において、前記転送手段としてはＳＣＳＩの転送手段と、ＩＥＥＥ１３９４準拠の転送手段と、ＵＳＢの転送手段とを備えることを特徴とする画像読取装置。
【請求項１０】
請求項１に記載の画像読取装置において、前記転送手段としてはＩＥＥＥ１２８４の転送手段と、ＳＣＳＩの転送手段と、ＵＳＢの転送手段とを備えることを特徴とする画像読取装置。
【請求項１１】
請求項１に記載の画像読取装置において、前記転送手段としてはＩＥＥＥ１２８４の転送手段と、ＩＥＥＥ１３９４準拠の転送手段と、ＳＣＳＩの転送手段とを備えることを特徴とする画像読取装置。
【発明の詳細な説明】
【技術分野】
【０００１】
本発明は、原稿を固定して光学系を移動、または、光学系を固定して原稿を移動、もしくは、原稿と光学系の双方を移動して読み取った画像を電気的な画像信号に変換するイメージセンサにて読み取り、それをＡ／Ｄ変換器にてデジタル化した画像信号を外部装置に転送することが可能な画像読取装置に関するものである。
【背景技術】
【０００２】
従来、この種の画像読取装置で、少なくとも２種類以上の規格の異なるインターフェース（以下Ｉ／Ｆ）を持つ画像読取装置では、外部装置に搭載されているＩ／Ｆに応じて、どちらか一方のＩ／Ｆのみを接続し使用するのが一般的であった。（例えば、特許文献１参照）
【特許文献１】特開平７−３１１７３２号公報
【発明の開示】
【発明が解決しようとする課題】
【０００３】
しかしながら、昨今の外部装置（一般的にはパーソナルコンピュータ）ではＵＳＢ、ＳＣＳＩ、ＩＥＥＥ１２８４等、複数の規格の異なるＩ／Ｆを同時に搭載するものが珍しくなくなり、画像読取装置と外部装置をどちらのＩ／Ｆでも接続可能である場合が多くなってきた。
【０００４】
このような状況の中で本発明の目的は、上述のような従来の手法の場合には使用されていなかったＩ／Ｆを有効に活用し転送速度の向上を図ることで、ユーザーに快適な画像読取装置を提供することである。
【課題を解決するための手段】
【０００５】
本発明の画像読取装置は、イメージセンサによって撮像して生成した画像データを外部装置に転送する手段として少なくとも２種類以上の異なる規格の転送手段を有することと、一方の転送手段にて画像読取装置の動作を制御する制御信号の受容を外部装置との間で行う転送手段と、他方の転送手段にて画像データを外部装置に転送する転送手段を備えることを特徴としている。
【０００６】
[作用]
本発明は上記技術手段を有するので、一方のＩ／Ｆのみを使用する場合に比べて転送速度の向上が図られることと、何らかの原因によって一方のＩ／Ｆの通信制御が回復不可能な状態に陥っても、他方のＩ／Ｆにて外部装置から画像読取装置に例えばリセット信号等を送信することによって、回復不可能な状態に陥ったＩ／Ｆの復旧を行うことができる。
【発明の効果】
【０００７】
以上説明したように、本発明によれば、イメージセンサによって撮像して生成した画像データを外部装置に転送する手段として少なくとも２種類以上の異なる規格のＩ／Ｆを有する画像読取装置において、一方のＩ／Ｆのみを使用する場合に比べて、他方のＩ／Ｆを有効活用することで転送速度の向上が図られることと、何らかの原因によって一方のＩ／Ｆの通信制御が回復不可能な状態に陥っても、他方のＩ／Ｆにて外部装置から画像読取装置に例えばリセット信号等を送信することによって、回復不可能な状態に陥ったＩ／Ｆの復旧を行うことができる。
【発明を実施するための最良の形態】
【０００８】
以下に図面を参照して本発明の実施例を詳細に説明する。
【０００９】
図１は、本実施例における制御回路の構成を示すブロック図である。
【００１０】
以下に図１を用いて、本件の回路動作を説明する。
【００１１】
図１において、２０１は例えばＣｏｎｔａｃｔ  Ｉｍａｇｅ  Ｓｅｎｓｏｒ（以下ＣＩＳ）であり、光源であるＬＥＤ２０２も一体化されており、ＣＩＳを図示しない原稿ガラス上でスキャン方向に搬送させながら、ＬＥＤ制御回路２０３にて１ライン毎に各色のＬＥＤ２０２を切り替えて点灯させることにより、ＲＧＢ線順次のカラー画像を読み取ることが可能である。
【００１２】
ＡＭＰ２０４は、ＣＩＳ２０１より出力された信号を増幅させる増幅器であり、２０５は当該増幅出力のＡ／Ｄ変換を行なって例えば８ビットのデジタル出力を得るＡ／Ｄ変換器である。シェーディングＲＡＭ２０６は、前述したキャリブレーション処理のための黒領域３及び白領域４を読み取り、そのデータを演算処理することにより得られたシェーディング補正用のデータが記憶されており、シェーディング補正回路２０７は前記シェーディングＲＡＭ２０６のデータに基いて、読み取られた画像信号のシェーディング補正を行う。
【００１３】
ガンマ変換回路２０９は、ホストコンピュータよりあらかじめ設定されたガンマカーブに従って読み取られた画像データのガンマ変換を行う。
【００１４】
バッファＲＡＭ２１０は、実際の読み取り動作とホストコンピュータとの通信におけるタイミングを合わせるために、画像データを１次的に記憶させるためのＲＡＭであり、パッキング／バッファＲＡＭ制御回路２１１は、ホストコンピュータよりあらかじめ設定された画像出力モード（２値、４ビット多値、８ビット多値、２４ビット多値等）に従ったパッキング処理を行った後にそのデータをバッファＲＡＭ２１０に書き込む処理と、Ｉ／Ｆ回路２１２にバッファＲＡＭ２１０から画像データを読み込んで出力させる処理を行う。
【００１５】
Ｉ／Ｆ回路２１２は、パーソナルコンピュータなどの本実施例に係る画像読取装置のホスト装置となる外部装置２１３との間でコントロール信号の受容や画像信号の出力を行なう。Ｉ／Ｆ制御切換え回路２１２Ａは、例えばＵＳＢ  Ｉ／Ｆ回路２１２ＢとＩＥＥＥ１２８４Ｉ／Ｆ回路２１２Ｃの通信制御の切換えを行う。
【００１６】
２１５は例えばマイクロコンピュータ形態のＣＰＵであり、処理手順を格納したＲＯＭ２１５Ａ及び作業用のＲＡＭ２１５Ｂを有し、ＲＯＭ２１５Ａに格納された手順にしたがって各部の制御を行なう。
【００１７】
２１６は例えば水晶発振器、２１４はＣＰＵ２１５の設定に応じて発振器２１６の出力を分周して動作の基準となる各種タイミング信号を発生するタイミング信号発生回路である。
【００１８】
次に図２のフローチャートを用いて、本発明に係る処理について説明する。
【００１９】
本発明の処理は、図２のステップＳ１においてユーザーが予め選択したＩ／Ｆ、または基本設定のＩ／Ｆ、例えばＵＳＢ（以下Ｉ／Ｆ（１）とする）を用いて画像読取装置とホスト装置間の制御信号の通信を開始する。
【００２０】
ステップＳ２では現在使用していないＩ／Ｆ、例えばＩＥＥＥ１２８４準拠のＩ／Ｆ（以下Ｉ／Ｆ（２）とする）をホスト装置が物理的に搭載（サポート）しているかを検出し、ホスト装置がＩ／Ｆ（２）をサポートしていない場合は、Ｉ／Ｆ（１）での通信制御をそのまま継続する。
【００２１】
ホスト装置がＩ／Ｆ（２）をサポートしている場合は、ステップＳ３においてＩ／Ｆ（２）を用いて画像読取装置とホスト装置が例えばＩ／Ｆケーブル等によって物理的に接続されているかを検出し、接続されていない場合は、Ｉ／Ｆ（１）での通信制御をそのまま継続する。Ｉ／Ｆ（２）が接続されている場合は、ステップＳ４にて例えばダミー、データ等を転送することによってＩ／Ｆ（１）、Ｉ／Ｆ（２）を用いた画像読取装置とホスト装置間の転送速度を実際に測定し、保存する。
【００２２】
ステップＳ５では、実測したＩ／Ｆ（１）、Ｉ／Ｆ（２）の転送速度を比較し、転送速度の速い方を画像データ転送用に設定し、転送速度の遅い方を制御信号転送用に設定して終了する。
【図面の簡単な説明】
【００２３】
【図１】本発明実施例に係る画像読取装置の電気的構成の一例を示すブロック図。
【図２】本発明実施例の処理動作を具体的に示すフローチャートである。
【符号の説明】
【００２４】
２０１  ＣＩＳ
２０２  ＬＥＤ
２０３  ＬＥＤ制御回路
２０４  ＡＭＰ
２０５  Ａ／Ｄ変換回路
２０６  シェーディングＲＡＭ
２０７  シェーディング補正回路
２０８  ピーク検知回路
２０９  ガンマ変換回路
２１０  バッファＲＡＭ
２１１  パッキング／バッファＲＡＭ制御回路
２１２  インターフェース回路
２１２Ａ  Ｉ／Ｆ制御切換え回路
２１２Ｂ  Ｉ／Ｆ回路１（ＵＳＢ）
２１２Ｃ  Ｉ／Ｆ回路２（ＩＥＥＥ１２８４準拠）
２１３  外部装置
２１４  タイミング信号発生回路
２１５  ＣＰＵ
２１５Ａ  ＣＰＵ  ＲＯＭ
２１５Ｂ  ＣＰＵ  ＲＡＭ
２１６  水晶発振器
【図１】
2006109220.tif 000003
【図２】
2006109220.tif 000004